(57)【要約】【課題】美的効果や防犯効果が得られると共に、建具の結露を防止することができる照明付き建具を提供すること。【解決手段】窓１は、ガラス板２と、枠部材３と、２つのＬＥＤユニット９０を有する照明装置９とを備えている。ガラス板２は、その外周部において枠部材３に支持され、枠部材３は、住宅の躯体に形成された開口部に設置されている。一方のＬＥＤユニット９０は、枠部材３の上枠３１に設置され、他方のＬＥＤユニット９０は、枠部材３の下枠３２に設置されている。ＬＥＤユニット９０で発生した熱は、枠部材３に蓄熱され、その枠部材３から放熱される。【選択図】図１
2007217873.tif 000002
【特許請求の範囲】
【請求項１】
建築物の開口部に、枠部材を介して設置された少なくとも１つのガラス板と、
少なくとも１つのＬＥＤ光源を有する照明装置とを備える照明付き建具であって、
前記ＬＥＤ光源は、前記枠部材に設置されており、該ＬＥＤ光源で発生した熱が、前記枠部材に蓄熱され、該枠部材から放熱されるよう構成されていることを特徴とする照明付き建具。
【請求項２】
前記照明装置は、前記ＬＥＤ光源を複数有し、該複数のＬＥＤ光源が、前記枠部材の長手方向に沿って連設されている請求項１に記載の照明付き建具。
【請求項３】
建築物の開口部に設置された第１の枠部材と、
前記第１の枠部材に対して変位可能に設置された少なくとも１つのガラス板と、
少なくとも１つのＬＥＤ光源を有する照明装置とを備える照明付き建具であって、
前記ＬＥＤ光源は、前記第１の枠部材に設置されており、該ＬＥＤ光源で発生した熱が、前記第１の枠部材に蓄熱され、該第１の枠部材から放熱されるよう構成されていることを特徴とする照明付き建具。
【請求項４】
前記照明装置は、前記ＬＥＤ光源を複数有し、該複数のＬＥＤ光源が、前記第１の枠部材の長手方向に沿って連設されている請求項３に記載の照明付き建具。
【請求項５】
前記ガラス板は、第２の枠部材により保持され、該第２の枠部材を介し、前記第１の枠部材に対して変位可能に設置されている請求項３または４に記載の照明付き建具。
【請求項６】
建築物の開口部に設置された第１の枠部材と、
ガラス板と、該ガラス板を保持する第２の枠部材とを有し、前記第１の枠部材に対して変位可能に設置された少なくとも１つのガラス板ユニットと、
少なくとも１つのＬＥＤ光源を有する照明装置とを備える照明付き建具であって、
前記ＬＥＤ光源は、前記第１の枠部材および／または前記第２の枠部材に設置されており、該ＬＥＤ光源で発生した熱が、前記第１の枠部材および／または前記第２の枠部材に蓄熱され、前記第１の枠部材および／または前記第２の枠部材から放熱されるよう構成されていることを特徴とする照明付き建具。
【請求項７】
前記照明装置は、前記ＬＥＤ光源を複数有し、該複数のＬＥＤ光源が、前記第１の枠部材および／または前記第２の枠部材の長手方向に沿って連設されている請求項６に記載の照明付き建具。
【請求項８】
前記ガラス板ユニットが前記第１の枠部材に対して変位する際、該ガラス板ユニットを案内するガイド手段を有する請求項６または７に記載の照明付き建具。
【請求項９】
前記ガイド手段は、前記第１の枠部材に設けられたレールを有し、
前記ガラス板ユニットは、前記レールに沿って移動可能に設置されている請求項８に記載の照明付き建具。
【請求項１０】
前記ＬＥＤ光源で発生した熱により、該ＬＥＤ光源が設置されている部材の結露が防止されるよう構成されている請求項１ないし９のいずれかに記載の照明付き建具。
【請求項１１】
前記ＬＥＤ光源は、少なくとも前記ガラス板の鉛直方向下側またはその近傍に位置している請求項１ないし１０のいずれかに記載の照明付き建具。
【請求項１２】
前記ガラス板の鉛直方向下側またはその近傍の空気が、前記ＬＥＤ光源で発生した熱により加熱されて上昇し、この際、前記ガラス板が加熱され、該ガラス板の結露が防止されるよう構成されている請求項１１に記載の照明付き建具。
【発明の詳細な説明】
【技術分野】
【０００１】
本発明は、ガラス板を有する照明付き建具に関する。
【背景技術】
【０００２】
住宅（建築物）には、例えば、窓等、１枚または複数枚のガラス板を用いた建具が設置されている（例えば、特許文献１参照）。この窓は、例えば、ガラス板と枠部材とで構成されており、ガラス板は、枠部材を介して住宅の開口部に設置されている。
【０００３】
しかしながら、前記従来の窓は、その窓としての機能しか有していない。
また、冬季等、気温の低いときは、窓が結露してしまうという問題がある。そして、特に、窓の枠部材は、そのガラス板に比べて、結露し易い。
【０００４】
【特許文献１】特開２００５−２５９０号公報
【発明の開示】
【発明が解決しようとする課題】
【０００５】
本発明の目的は、美的効果や防犯効果が得られると共に、建具の結露を防止することができる照明付き建具を提供することにある。
【課題を解決するための手段】
【０００６】
このような目的は、下記（１）〜（１２）の本発明により達成される。
（１）  建築物の開口部に、枠部材を介して設置された少なくとも１つのガラス板と、
少なくとも１つのＬＥＤ光源を有する照明装置とを備える照明付き建具であって、
前記ＬＥＤ光源は、前記枠部材に設置されており、該ＬＥＤ光源で発生した熱が、前記枠部材に蓄熱され、該枠部材から放熱されるよう構成されていることを特徴とする照明付き建具。
【０００７】
（２）  前記照明装置は、前記ＬＥＤ光源を複数有し、該複数のＬＥＤ光源が、前記枠部材の長手方向に沿って連設されている上記（１）に記載の照明付き建具。
【０００８】
（３）  建築物の開口部に設置された第１の枠部材と、
前記第１の枠部材に対して変位可能に設置された少なくとも１つのガラス板と、
少なくとも１つのＬＥＤ光源を有する照明装置とを備える照明付き建具であって、
前記ＬＥＤ光源は、前記第１の枠部材に設置されており、該ＬＥＤ光源で発生した熱が、前記第１の枠部材に蓄熱され、該第１の枠部材から放熱されるよう構成されていることを特徴とする照明付き建具。
【０００９】
（４）  前記照明装置は、前記ＬＥＤ光源を複数有し、該複数のＬＥＤ光源が、前記第１の枠部材の長手方向に沿って連設されている上記（３）に記載の照明付き建具。
【００１０】
（５）  前記ガラス板は、第２の枠部材により保持され、該第２の枠部材を介し、前記第１の枠部材に対して変位可能に設置されている上記（３）または（４）に記載の照明付き建具。
【００１１】
（６）  建築物の開口部に設置された第１の枠部材と、
ガラス板と、該ガラス板を保持する第２の枠部材とを有し、前記第１の枠部材に対して変位可能に設置された少なくとも１つのガラス板ユニットと、
少なくとも１つのＬＥＤ光源を有する照明装置とを備える照明付き建具であって、
前記ＬＥＤ光源は、前記第１の枠部材および／または前記第２の枠部材に設置されており、該ＬＥＤ光源で発生した熱が、前記第１の枠部材および／または前記第２の枠部材に蓄熱され、前記第１の枠部材および／または前記第２の枠部材から放熱されるよう構成されていることを特徴とする照明付き建具。
【００１２】
（７）  前記照明装置は、前記ＬＥＤ光源を複数有し、該複数のＬＥＤ光源が、前記第１の枠部材および／または前記第２の枠部材の長手方向に沿って連設されている上記（６）に記載の照明付き建具。
【００１３】
（８）  前記ガラス板ユニットが前記第１の枠部材に対して変位する際、該ガラス板ユニットを案内するガイド手段を有する上記（６）または（７）に記載の照明付き建具。
【００１４】
（９）  前記ガイド手段は、前記第１の枠部材に設けられたレールを有し、
前記ガラス板ユニットは、前記レールに沿って移動可能に設置されている上記（８）に記載の照明付き建具。
【００１５】
（１０）  前記ＬＥＤ光源で発生した熱により、該ＬＥＤ光源が設置されている部材の結露が防止されるよう構成されている上記（１）ないし（９）のいずれかに記載の照明付き建具。
【００１６】
（１１）  前記ＬＥＤ光源は、少なくとも前記ガラス板の鉛直方向下側またはその近傍に位置している上記（１）ないし（１０）のいずれかに記載の照明付き建具。
【００１７】
（１２）  前記ガラス板の鉛直方向下側またはその近傍の空気が、前記ＬＥＤ光源で発生した熱により加熱されて上昇し、この際、前記ガラス板が加熱され、該ガラス板の結露が防止されるよう構成されている上記（１１）に記載の照明付き建具。
【発明の効果】
【００１８】
本発明によれば、ＬＥＤ光源から発せられた光により、建築物の内部や外部が照明される。この照明、特に、建築物の内部の照明により、美的効果や癒し効果（リラクゼーション効果）が得られる。また、建築物の外部の照明により、防犯効果が得られる。
【００１９】
また、照明装置の光源としてＬＥＤ光源を用いており、ＬＥＤ光源は、その寸法を容易に小さくすることができるので、枠部材に、そのＬＥＤ光源を容易かつ確実に設置することができる。
【００２０】
また、ＬＥＤ光源で発生した熱が、枠部材に蓄熱され、その枠部材から放熱され、これにより、ＬＥＤ光源で発生した熱を効率良く放熱することができる。これにより、ＬＥＤ光源の温度上昇による発光効率の減少を抑制（または防止）することができ、これによって、効率良く照明することができる。
そして、ＬＥＤ光源で発生した熱により、枠部材の結露を防止することができる。
【発明を実施するための最良の形態】
【００２１】
以下、本発明の照明付き建具を添付図面に示す好適実施形態に基づいて詳細に説明する。
【００２２】
なお、各実施形態では、代表的に、本発明の照明付き建具を窓（照明付き窓）に適用した場合について説明する。
【００２３】
＜第１実施形態＞
図１は、本発明の照明付き建具を窓に適用した場合の第１実施形態を示す図であり、（Ａ）は、正面図、（Ｂ）は、（Ａ）中のＡ−Ａ線での断面図である。また、図２は、本発明における照明装置のＬＥＤユニットの構成例を示す斜視図である。また、図３は、本発明における照明装置のＬＥＤ光源の構成例を示す図であり、図３（Ａ）は、平面図、図３（Ｂ）は、正面図、図３（Ｃ）は、断面図である。
【００２４】
なお、説明の都合上、図１において、上側を「上」、下側を「下」として説明する。また、図１中の上下方向が鉛直方向、左右方向が水平方向である。
【００２５】
図１に示す窓（照明付き建具）１は、そのガラス板が、枠部材を介して、建築物としての図示しない住宅（家屋）の開口部に、固定的に設置されている開閉しない形態（タイプ）のものである。
図１に示すように、窓１は、ガラス板２と、枠部材３と、照明装置９とを備えている。
【００２６】
ガラス板２は、図示例では、略四角形をなしている。このガラス板２としては、例えば、透明ガラス、半透明ガラス、曇ガラスのような不透明に近いガラス等、種々のものを用いることができる。
【００２７】
枠部材３は、ガラス板２に対応した形状をなし、図示例では、上枠（横枠）３１、下枠（横枠）３２、右枠（縦枠）３３および左枠（縦枠）３４で構成され、その全体形状は、略四角形をなしている。この枠部材３の構成材料としては、特に限定されないが、例えば、アルミニウムやアルミニウム系合金等が挙げられる。
【００２８】
住宅の躯体には、その住宅の内部（所定の居住空間）と外部とを連通する図示しない開口部が形成されている。ガラス板２は、その外周部において枠部材３に支持（保持）され、枠部材３は、前記開口部に設置（固定）されている。すなわち、ガラス板２は、枠部材３を介して、開口部に設置されており、これにより、その開口部が塞がれている。
【００２９】
なお、ガラス板２の形状は、四角形に限らず、例えば、略五角形等の四角形以外の多角形や、略円形、略楕円形等が挙げられる。枠部材３の形状も同様である。
【００３０】
また、ガラス板２は、平板状ものに限らず、例えば、湾曲または屈曲していてもよい。
また、ガラス板２は、１枚に限らず、複数枚設置されていてもよい。この場合、ガラス板２は、例えば、その厚み方向（図１（Ｂ）中、左右方向）に沿って２枚以上並設されていてもよく、また、図１（Ａ）中、左右方向に沿って、２枚以上並設されていてもよく、また、図１中、上下方向に沿って、２枚以上並設されていてもよい。
【００３１】
また、ガラス板２に代えて、または、ガラス板とともに、例えば、１つまたは複数のペアガラス（図示せず）が設置されていてもよい。ペアガラスは、例えば、枠状のスペーサと、このスペーサを介して（間隔を隔てて）互いに対向するように設置された１対（２つ）のガラス板とによって構成される。スペーサは、１対のガラス板の間に位置し、１対のガラス板の外周部に固着（固定）されている。これら１対のガラス板と、スペーサとで、ペアガラスの内部に閉じた空間（閉空間）が形成（画成）される。すなわち、ペアガラスの内部は、スペーサによって密閉されている。
【００３２】
図２に示すように、照明装置９は、複数の図３に示すＬＥＤ（発光ダイオード）光源９１を連設してなる２つのＬＥＤユニット９０を有している。このＬＥＤユニット９０としては、図２（Ａ）に示すように、パッケージ化されたもの、図２（Ｂ）に示すように、その表面が絶縁された通電用の導線（ケーブル）等で繋がっているもの等、種々の形態のものを用いることができる。なお、本実施形態および後述する各実施形態では、代表的に、図２（Ａ）に示すパッケージ化されたＬＥＤユニット９０を用いた場合について説明する。
【００３３】
図３に示すように、ＬＥＤ光源９１は、矩形板状の基盤９２と、基盤９２の一方の面（図３（Ｃ）において上側の面）上に設けられた反射板９３と、ＬＥＤ素子９４と、蛍光体９５と、レンズ９６とを備えている。
【００３４】
基盤９２は、矩形の金属板が多層に積層されて形成されている。また、基盤９２には、プラス電極９７とマイナス電極９８とが、その多層の金属板の間に挟まれて取り付けられている。この場合、プラス電極９７とマイナス電極９８とが短絡（ショート）しないようになっている。また、基盤９２の主材料には、ＬＥＤ素子９４の熱を逃がし易い材料、すなわち、熱伝導率の高い、例えば、アルミニウムやアルミニウム系合金等の金属材料が用いられる。
【００３５】
また、反射板９３は、枠状をなし、基盤９２の外周部に設置されており、その内面において光を反射する。
【００３６】
また、ＬＥＤ素子９４は、反射板９３の内側、すなわち、基盤９２の中央部に設置されている。また、ＬＥＤ素子９４は、その下面にプラス電極９４ａおよびマイナス電極９４ｂを有している。このプラス電極９４ａおよびマイナス電極９４ｂは、それぞれ、基盤９２のプラス電極９７およびマイナス電極９８に接続されている。ＬＥＤ素子９４は、プラス電極９４ａおよびマイナス電極９４ｂを介して低電圧直流電流が供給されることにより点灯（発光）する。
【００３７】
また、蛍光体９５は、ＬＥＤ素子９４を覆うように形成されており、レンズ９６は、反射板９３の内面および蛍光体９５を覆うように形成されている。
【００３８】
ＬＥＤユニット９０は、図２（Ａ）に示すように、複数のＬＥＤ光源９１が略直線状に連設され、パッケージ化されており、長尺状をなしている。
【００３９】
図１に示すように、２つのＬＥＤユニット９０は、それぞれ、ガラス板２に対して住宅の内側（図１（Ｂ）中右側）に位置するように、枠部材３に設置（固定）されている。
【００４０】
すなわち、一方のＬＥＤユニット９０は、枠部材３の鉛直方向上方の部分、すなわち、上枠３１（上枠３１の長手方向）に沿って配置され、その背面が上枠３１に設置（固定）され、光軸９１１の方向は、住宅の内側（図１（Ｂ）中右側）を向いている。また、他方のＬＥＤユニット９０は、枠部材３の鉛直方向下方の部分、すなわち、下枠３２（下枠３２の長手方向）に沿って配置され、その背面が下枠３２に設置され、光軸９１１の方向は、住宅の内側（図１（Ｂ）中右側）を向いている。このように、他方のＬＥＤユニット９０は、ガラス板２の下側（鉛直方向下側）またはその近傍に位置している。
【００４１】
また、各ＬＥＤユニット９０は、それぞれ、導線により図示しない電源部に接続されており、その電源部から電流（例えば、低電圧直流電流）が供給されると、駆動し、各ＬＥＤ光源９１がそれぞれ点灯（発光）する。
【００４２】
これらのＬＥＤユニット９０は、それぞれ、枠部材３に固着された光透過性を有するカバー部材（透明板）４により覆われている。各カバー部材４の構成材料としては、それぞれ、例えば、各種樹脂や各種ガラス等が挙げられる。
【００４３】
なお、前記各ＬＥＤ光源９１が発する光（照明光）の色、すなわち、各ＬＥＤ素子９４における発光色は、白色であってもよく、また、例えば、赤色、緑色、青色等の種々のカラー色であってもよい。
【００４４】
また、一方のＬＥＤユニット９０と他方のＬＥＤユニット９０とは、そのＬＥＤ素子９４における発光色は、同一であってもよく、また、異なっていてもよい。
【００４５】
また、各ＬＥＤユニット９０において、それぞれ、各ＬＥＤ素子９４における発光色は、同一であってもよく、また、異なっていてもよい（異なる色を任意に組み合わせてもよい）。
【００４６】
また、２つのＬＥＤユニット９０のうちのいずれか一方が省略されていてもよい。
また、枠部材３に、さらに、１つまたは複数のＬＥＤユニット９０が設置（追加）されていてもよい。この場合、ＬＥＤユニット９０は、上枠３１や下枠３２に限らず、例えば、右枠３３や左枠３４に設置することができる。
【００４７】
なお、ＬＥＤユニット９０を設置した箇所については、例えば、防水、防湿、防露等の対策が十分に施されている。
【００４８】
次に、窓１の作用（動作）について説明する。
照明装置９のＬＥＤ光源９１が点灯（発光）すると、ＬＥＤ光源９１から光が発せられ、この光により、住宅の内部が照明される。この照明（住宅の内部の照明）により、美的効果や癒し効果（リラクゼーション効果）が得られる。
【００４９】
また、ＬＥＤ光源９１（特に、ＬＥＤ光源９１の背面側）で発生した熱は、枠部材３に蓄熱（吸熱）され、その枠部材３が加熱され、枠部材３（ＬＥＤ光源９１が設置されている部材）の結露が防止される。すなわち、上側のＬＥＤユニット９０のＬＥＤ光源９１で発生した熱は、枠部材３の上枠３１に蓄熱され、右枠３３および左枠３４に伝達され、同様に、下側のＬＥＤユニット９０のＬＥＤ光源９１で発生した熱は、枠部材３の下枠３２に蓄熱され、右枠３３および左枠３４に伝達され、枠部材３の全体が加熱され、その結露が防止される。
【００５０】
また、ＬＥＤ光源９１で発生した熱は、前記枠部材３から放熱される。これにより、ＬＥＤ光源９１で発生した熱を効率良く放熱することができ、これによって、ＬＥＤ光源９１の温度上昇による発光効率の減少を抑制（または防止）することができ、これにより、効率良く照明することができる。
【００５１】
また、下側のＬＥＤユニット９０のＬＥＤ光源９１で発生した熱は、下枠３２に蓄熱され、その一部は、その下枠３２から放熱される。これにより、下枠３２の近傍の空気、すなわち、ガラス板２の下側またはその近傍の空気は、加熱されてその温度が高くなり、上昇する。この際、ガラス板２が加熱され、その結露が防止される。
【００５２】
以上説明したように、この窓１によれば、その照明により、美的効果や癒し効果（リラクゼーション効果）が得られると共に、結露防止等の前述した種々の効果が得られる。
【００５３】
また、照明装置９の光源としてＬＥＤ光源９１を用いており、ＬＥＤ光源９１は、その寸法を容易に小さくすることができるので、枠部材３に、そのＬＥＤ光源９１を容易かつ確実に設置することができる。
【００５４】
なお、本発明では、窓（照明付き建具）は、そのガラス板が開閉（変位）可能な形態のものであってもよい。開閉可能な窓としては、その方式は特に限定されず、例えば、引き違い窓、上げ下げ窓、両開き窓、フランス窓、垂直（鉛直）回転窓、水平回転窓、アコーディオン窓等が挙げられる。これは、後述する第２実施形態においても同様である。
【００５５】
ここで、ＬＥＤユニット９０（ＬＥＤ光源９１）の枠部材３における位置、姿勢（光軸９１１の方向）、数等は、図示例に限定されるものではない。以下、ＬＥＤユニット９０（ＬＥＤ光源９１）の配置等について、いくつかの他の構成例を説明する。
【００５６】
図４は、ＬＥＤユニット９０（ＬＥＤ光源９１）の他の配置例を示す断面図である。
なお、説明の都合上、図４において、上側を「上」、下側を「下」として説明する。また、図４中の上下方向が鉛直方向、左右方向が水平方向である。
【００５７】
また、図４では、代表的に、上枠３１側についてのみ図示し、その説明を行なうが、下枠３２側については、上枠３１側と同様であってもよく、また、異なっていてもよく、また、ＬＥＤユニット９０が省略されていてもよい。また、下枠３２にＬＥＤユニット９０が設置され、上枠３１側については、ＬＥＤユニット９０が省略されていてもよい。
【００５８】
図４（Ａ）に示す構成例では、上枠３１に、２つのＬＥＤユニット９０が設置されている。すなわち、一方のＬＥＤユニット９０は、ガラス板２に対して住宅の内側（図４（Ａ）中右側）に位置するように、上枠３１に設置され、光軸９１１の方向は、下側を向いている。また、他方のＬＥＤユニット９０は、ガラス板２に対して住宅の外側（図４（Ａ）中左側）に位置するように、上枠３１に設置され、光軸９１１の方向は、下側を向いている。
【００５９】
この構成例では、内側のＬＥＤユニット９０のＬＥＤ光源９１が点灯（発光）すると、ＬＥＤ光源９１から光が発せられ、この光により、住宅の内部が照明され、外側のＬＥＤユニット９０のＬＥＤ光源９１が点灯すると、ＬＥＤ光源９１から光が発せられ、この光により、住宅の外部が照明される。すなわち、住宅の内部および外部の両方から、照明光を見ることができる。この照明、特に、住宅の内部の照明により、美的効果や癒し効果（リラクゼーション効果）が得られる。また、住宅の外部の照明により、防犯効果が得られる。
【００６０】
なお、外側のＬＥＤユニット９０を省略してもよく、この場合は、内側のＬＥＤユニット９０のＬＥＤ光源９１が点灯すると、ＬＥＤ光源９１から光が発せられ、この光により、住宅の内部が照明され、また、この光を、ガラス板２を介して住宅の外部からも見ることができる。
【００６１】
また、内側のＬＥＤユニット９０を省略してもよく、この場合は、外側のＬＥＤユニット９０のＬＥＤ光源９１が点灯すると、ＬＥＤ光源９１から光が発せられ、この光により、住宅の外部が照明され、また、この光を、ガラス板２を介して住宅の内部からも見ることができる。
【００６２】
図４（Ｂ）に示す構成例では、上枠３１に、２つのＬＥＤユニット９０が設置されている。すなわち、一方のＬＥＤユニット９０は、ガラス板２に対して住宅の内側（図４（Ｂ）中右側）に位置するように、上枠３１に設置され、光軸９１１の方向は、住宅の内側（図４（Ｂ）中右側）を向いている。また、他方のＬＥＤユニット９０は、ガラス板２に対して住宅の外側（図４（Ｂ）中左側）に位置するように、上枠３１に設置され、光軸９１１の方向は、住宅の外側（図４（Ｂ）中左側）を向いている。
【００６３】
この構成例では、内側のＬＥＤユニット９０のＬＥＤ光源９１が点灯（発光）すると、ＬＥＤ光源９１から光が発せられ、この光により、住宅の内部が照明され、外側のＬＥＤユニット９０のＬＥＤ光源９１が点灯すると、ＬＥＤ光源９１から光が発せられ、この光により、住宅の外部が照明される。すなわち、住宅の内部および外部の両方から、照明光を見ることができる。この照明、特に、住宅の内部の照明により、美的効果や癒し効果（リラクゼーション効果）が得られる。また、住宅の外部の照明により、防犯効果が得られる。
【００６４】
なお、外側のＬＥＤユニット９０を省略してもよく、また、内側のＬＥＤユニット９０を省略してもよい。
【００６５】
＜第２実施形態＞
図５は、本発明の照明付き建具を窓に適用した場合の第２実施形態を示す断面図である。
【００６６】
なお、説明の都合上、図５において、左側を「左」、右側を「右」として説明する。また、図５中の紙面に対して垂直な方向が鉛直方向、上下方向および左右方向が水平方向である。
【００６７】
以下、第２実施形態の窓１について、前述した第１実施形態との違いを中心に説明し、同様の事項についてはその説明を省略する。
【００６８】
図５に示すように、第２実施形態の窓１では、照明装置９は、３つのＬＥＤユニット９０ａ、９０ｂおよび９０ｃを有している。
【００６９】
これらのＬＥＤユニット９０ａ、９０ｂおよび９０ｃのうちの２つのＬＥＤユニット９０ａおよび９０ｃは、それぞれ、ガラス板２に対して住宅の内側（図５中下側）に位置するように、枠部材３に設置され、残りの１つのＬＥＤユニット９０ｂは、ガラス板２に対して住宅の外側（図５中上側）に位置するように、枠部材３に設置されている。
【００７０】
すなわち、ＬＥＤユニット９０ａは、ガラス板２に対して住宅の内側（図５中下側）に位置するように、枠部材３の右方の部分、すなわち、右枠３３（右枠３３の長手方向）に沿って配置され、その背面が右枠３３に設置され、光軸９１１の方向は、水平方向左側を向いている。また、ＬＥＤユニット９０ｂは、ガラス板２に対して住宅の外側（図５中上側）に位置するように、枠部材３の右方の部分、すなわち、右枠３３（右枠３３の長手方向）に沿って配置され、その背面が右枠３３に設置され、光軸９１１の方向は、水平方向左側を向いている。また、ＬＥＤユニット９０ｃは、ガラス板２に対して住宅の内側（図５中下側）に位置するように、枠部材３の左方の部分、すなわち、左枠３４（左枠３４の長手方向）に沿って配置され、その背面が左枠３４に設置され、光軸９１１の方向は、住宅の内側（図５中下側）を向いている。
【００７１】
この窓１では、内側のＬＥＤユニット９０ａおよび９０ｃのＬＥＤ光源９１が点灯（発光）すると、ＬＥＤ光源９１から光が発せられ、この光により、住宅の内部が照明され、外側のＬＥＤユニット９０ｂのＬＥＤ光源９１が点灯すると、ＬＥＤ光源９１から光が発せられ、この光により、住宅の外部が照明される。すなわち、住宅の内部および外部の両方から、照明光を見ることができる。この照明、特に、住宅の内部の照明により、美的効果や癒し効果（リラクゼーション効果）が得られる。また、住宅の外部の照明により、防犯効果が得られる。
【００７２】
また、ＬＥＤ光源９１（特に、ＬＥＤ光源９１の背面側）で発生した熱は、枠部材３に蓄熱（吸熱）され、その枠部材３が加熱され、枠部材３（ＬＥＤ光源９１が設置されている部材）の結露が防止される。すなわち、右側のＬＥＤユニット９０ａおよび９０ｂのＬＥＤ光源９１で発生した熱は、枠部材３の右枠３３に蓄熱され、上枠３１および下枠３２に伝達され、同様に、左側のＬＥＤユニット９０ｃのＬＥＤ光源９１で発生した熱は、枠部材３の左枠３４に蓄熱され、上枠３１および下枠３２に伝達され、枠部材３の全体が加熱され、その結露が防止される。
【００７３】
また、ＬＥＤ光源９１で発生した熱は、前記枠部材３から放熱される。これにより、ＬＥＤ光源９１で発生した熱を効率良く放熱することができ、これによって、ＬＥＤ光源９１の温度上昇による発光効率の減少を抑制（または防止）することができ、これにより、効率良く照明することができる。
【００７４】
以上説明したように、この窓１によれば、前述した第１実施形態と同様の効果が得られる。
【００７５】
なお、ＬＥＤユニット９０（ＬＥＤ光源９１）の枠部材３における位置、姿勢（光軸９１１の方向）、数等は、図示例に限定されるものではなく、この他、例えば、前述した第１実施形態のような種々の構成をとることができる。
【００７６】
＜第３実施形態＞
図６は、本発明の照明付き建具を窓に適用した場合の第３実施形態を示す断面図である。
【００７７】
なお、説明の都合上、図６において、上側を「上」、下側を「下」として説明する。また、図６中の上下方向が鉛直方向、左右方向が水平方向である。
【００７８】
以下、第３実施形態の窓１について、前述した第１実施形態との違いを中心に説明し、同様の事項についてはその説明を省略する。
【００７９】
図６に示すように、第３実施形態の窓１は、そのガラス板ユニット５（ガラス板２）が開閉（変位）可能な形態（タイプ）のもの、すなわち、引き違い窓である。
【００８０】
具体的には、住宅の壁（躯体）１００には、その住宅の内部（所定の居住空間）と外部とを連通する開口部１１０が形成されており、窓１は、その開口部１１０に設置（固定）されている枠部材（第１の枠部材）６と、枠部材６に対して移動（変位）可能に設置されている２つのガラス板ユニット５と、照明装置９とを備えている。また、開口部１１０の枠部材６の内側（図６中右側）には、窓枠７が設置（固定）されている。
【００８１】
各ガラス板ユニット５は、それぞれ、ガラス板２およびガラス板２の外周部を支持（保持）する枠部材（第２の枠部材）３を有している。
【００８２】
また、各枠部材３の上枠３１には、それぞれ、その長手方向に沿って溝３１１が形成され、各枠部材３の下枠３２には、それぞれ、その長手方向に沿って溝３２１が形成されている。
【００８３】
枠部材６は、図示例では、上枠（横枠）６１、下枠（横枠）６２、右枠（縦枠）６３および左枠（縦枠）６４で構成され（「左枠６４」は、図７参照）、その全体形状は、略四角形をなしている。この枠部材６の構成材料としては、特に限定されないが、例えば、アルミニウムやアルミニウム系合金等が挙げられる。
【００８４】
また、枠部材６には、ガラス板ユニット５がその枠部材６に対して移動（変位）する際、ガラス板ユニット５を案内するガイド手段として、１対のレール（凸状）が、２組形成されている。
【００８５】
すなわち、枠部材６の上枠６１には、外側のガラス板ユニット５の溝３１１に挿入されるレール（凸状）６１１が、その上枠６１の長手方向に沿って形成され、下枠６２には、外側のガラス板ユニット５の溝３２１に挿入されるレール（凸状）６２１が、その下枠６２の長手方向に沿って形成されており、さらに、枠部材６の上枠６１には、内側のガラス板ユニット５の溝３１１に挿入されるレール（凸状）６１２が、その上枠６１の長手方向に沿って形成され、下枠６２には、内側のガラス板ユニット５の溝３２１に挿入されるレール（凸状）６２２が、その下枠６２の長手方向に沿って形成されている。これにより、外側のガラス板ユニット５は、レール６１１および６２１に沿って移動することができ、内側のガラス板ユニット５は、レール６１２および６２２に沿って移動することができ、これによって、窓１（ガラス板ユニット５）の開閉を行なうことができる。
【００８６】
なお、ガラス板ユニット５の枠部材３の溝内に、車輪を設けてもよい。これにより、ガラス板ユニット５を、より円滑に移動させることができる。
【００８７】
また、前記と逆に、ガラス板ユニット５の枠部材３に、レール（凸状）を形成し、枠部材６に、前記レールが挿入される溝を形成してもよい。
【００８８】
照明装置９は、２つのＬＥＤユニット９０を有しており、各ＬＥＤユニット９０は、それぞれ、ガラス板ユニット５（ガラス板２）に対して住宅の内側（図６中右側）に位置するように、枠部材６に設置（固定）されている。
【００８９】
すなわち、一方のＬＥＤユニット９０は、枠部材６の鉛直方向上方の部分、すなわち、上枠６１（上枠６１の長手方向）に沿って配置され、その背面が上枠６１に設置（固定）され、光軸９１１の方向は、下側を向いている。また、他方のＬＥＤユニット９０は、枠部材６の鉛直方向下方の部分、すなわち、下枠６２（下枠６２の長手方向）に沿って配置され、その背面が下枠６２に設置され、光軸９１１の方向は、上側を向いている。このように、他方のＬＥＤユニット９０は、ガラス板ユニット５（ガラス板２）の下側（鉛直方向下側）またはその近傍に位置している。
【００９０】
これらのＬＥＤユニット９０は、それぞれ、枠部材６に固着された光透過性を有するカバー部材（透明板）４により覆われている。
なお、２つのＬＥＤユニット９０のうちのいずれか一方が省略されていてもよい。
【００９１】
また、枠部材６に、さらに、１つまたは複数のＬＥＤユニット９０が設置（追加）されていてもよい。この場合、ＬＥＤユニット９０は、上枠６１や下枠６２に限らず、例えば、右枠６３や左枠６４に設置することができる。
【００９２】
次に、窓１の作用（動作）について説明する。
照明装置９のＬＥＤ光源９１が点灯（発光）すると、ＬＥＤ光源９１から光が発せられ、この光により、住宅の内部が照明され、また、この光を、ガラス板２を介して住宅の外部からも見ることができる。この照明、特に、住宅の内部の照明により、美的効果や癒し効果（リラクゼーション効果）が得られる。また、住宅の外部からでもガラス板２を介して照明光を見ることができるので、これにより、防犯効果も得られる。
【００９３】
また、ＬＥＤ光源９１（特に、ＬＥＤ光源９１の背面側）で発生した熱は、枠部材６に蓄熱（吸熱）され、その枠部材６が加熱され、枠部材６（ＬＥＤ光源９１が設置されている部材）の結露が防止される。すなわち、上側のＬＥＤユニット９０のＬＥＤ光源９１で発生した熱は、枠部材６の上枠６１に蓄熱され、右枠６３および左枠６４に伝達され、同様に、下側のＬＥＤユニット９０のＬＥＤ光源９１で発生した熱は、枠部材６の下枠６２に蓄熱され、右枠６３および左枠６４に伝達され、枠部材６の全体が加熱され、その結露が防止される。さらに、前記熱は、対応するレールおよび溝を経て、枠部材３に伝達され、枠部材３が加熱され、その結露が防止される。
【００９４】
また、ＬＥＤ光源９１で発生した熱は、前記枠部材６から放熱される。これにより、ＬＥＤ光源９１で発生した熱を効率良く放熱することができ、これによって、ＬＥＤ光源９１の温度上昇による発光効率の減少を抑制（または防止）することができ、これにより、効率良く照明することができる。
【００９５】
また、下側のＬＥＤユニット９０のＬＥＤ光源９１で発生した熱は、下枠６２に蓄熱され、その一部は、その下枠６２から放熱される。これにより、下枠６２の近傍の空気、すなわち、ガラス板ユニット５（ガラス板２）の下側またはその近傍の空気は、加熱されてその温度が高くなり、上昇する。この際、ガラス板２および枠部材３が加熱され、その結露が防止される。
【００９６】
以上説明したように、この窓１によれば、前述した第１実施形態と同様の効果が得られる。
【００９７】
なお、本実施形態では、ガラス板２が、枠部材（第２の枠部材）３を介して、枠部材（第１の枠部材）６に対して移動（変位）可能に設置されているが、本発明では、これに限らず、枠部材３が省略され、ガラス板２が、直接、枠部材６に対して移動（変位）可能に設置されていてもよい。これは、後述する各実施形態においても同様である。
【００９８】
また、本発明では、ＬＥＤユニット９０（ＬＥＤ光源９１）の設置箇所は、枠部材６に限らず、ＬＥＤユニット９０は、例えば、枠部材３に設置されていてもよく（第１実施形態および第２実施形態参照）、また、枠部材３および６の双方に設置されていてもよい。これは、後述する各実施形態においても同様である。
【００９９】
また、本発明では、ガラス板ユニット５の数は、２つに限らず、１つでもよく、また、３つ以上でもよい。これは、後述する各実施形態においても同様である。
【０１００】
また、本発明では、複数のガラス板ユニット５のうちの一部（少なくとも１つ）が、移動（変位）不能に設置（例えば、枠部材６に対して固定的に設置）されていてもよい。これは、後述する各実施形態においても同様である。
【０１０１】
また、本発明では、窓の方式は、引き違い窓に限定されず、この他、例えば、上げ下げ窓、両開き窓、フランス窓、垂直（鉛直）回転窓、水平回転窓、アコーディオン窓等であってもよい。これは、後述する各実施形態においても同様である。
【０１０２】
＜第４実施形態＞
図７は、本発明の照明付き建具を窓に適用した場合の第４実施形態を示す断面図である。
【０１０３】
なお、説明の都合上、図７において、左側を「左」、右側を「右」として説明する。また、図７中の紙面に対して垂直な方向が鉛直方向、上下方向および左右方向が水平方向である。
【０１０４】
以下、第４実施形態の窓１について、前述した第３実施形態との違いを中心に説明し、同様の事項についてはその説明を省略する。
【０１０５】
図７に示すように、第４実施形態の窓１では、第３実施形態と同様に、２つのＬＥＤユニット９０は、それぞれ、ガラス板ユニット５（ガラス板２）に対して住宅の内側（図７中下側）に位置するように、枠部材６に設置（固定）されている。
【０１０６】
一方のＬＥＤユニット９０は、枠部材６の右方の部分、すなわち、右枠６３（右枠６３の長手方向）に沿って配置され、その背面が右枠６３に設置（固定）され、光軸９１１の方向は、左側を向いている。また、他方のＬＥＤユニット９０は、枠部材６の左方の部分、すなわち、左枠６４（左枠６４の長手方向）に沿って配置され、その背面が左枠６４に設置され、光軸９１１の方向は、右側を向いている。
この窓１によれば、前述した第３実施形態と同様の効果が得られる。
【０１０７】
＜第５実施形態＞
図８は、本発明の照明付き建具を窓に適用した場合の第５実施形態を示す断面図である。
【０１０８】
なお、説明の都合上、図８において、上側を「上」、下側を「下」として説明する。また、図８中の上下方向が鉛直方向、左右方向が水平方向である。
【０１０９】
以下、第５実施形態の窓１について、前述した第３実施形態との違いを中心に説明し、同様の事項についてはその説明を省略する。
【０１１０】
図８に示すように、第５実施形態の窓１では、２つのＬＥＤユニット９０は、それぞれ、ガラス板ユニット５（ガラス板２）に対して住宅の外側（図８中左側）に位置するように、枠部材６に設置（固定）されている。
【０１１１】
すなわち、一方のＬＥＤユニット９０は、枠部材６の鉛直方向上方の部分、すなわち、上枠６１（上枠６１の長手方向）に沿って配置され、その背面が上枠６１に設置（固定）され、光軸９１１の方向は、下側を向いている。また、他方のＬＥＤユニット９０は、枠部材６の鉛直方向下方の部分、すなわち、下枠６２（下枠６２の長手方向）に沿って配置され、その背面が下枠６２に設置され、光軸９１１の方向は、下側を向いている。このように、他方のＬＥＤユニット９０は、ガラス板ユニット５（ガラス板２）の下側（鉛直方向下側）またはその近傍に位置している。
【０１１２】
この窓では、照明装置９のＬＥＤ光源９１が点灯（発光）すると、ＬＥＤ光源９１から光が発せられ、この光により、住宅の外部が照明され、また、この光を、ガラス板２を介して住宅の内部からも見ることができる。この住宅の外部の照明により、防犯効果が得られる。また、住宅の内部からでもガラス板２を介して照明光を見ることができるので、美的効果や癒し効果（リラクゼーション効果）も得られる。すなわち、この窓１によれば、前述した第３実施形態と同様の効果が得られる。
【０１１３】
＜第６実施形態＞
図９は、本発明の照明付き建具を窓に適用した場合の第６実施形態を示す断面図である。
【０１１４】
なお、説明の都合上、図９において、左側を「左」、右側を「右」として説明する。また、図９中の紙面に対して垂直な方向が鉛直方向、上下方向および左右方向が水平方向である。
【０１１５】
以下、第６実施形態の窓１について、前述した第５実施形態との違いを中心に説明し、同様の事項についてはその説明を省略する。
【０１１６】
図９に示すように、第６実施形態の窓１では、第５実施形態と同様に、２つのＬＥＤユニット９０は、それぞれ、ガラス板ユニット５（ガラス板２）に対して住宅の外側（図９中上側）に位置するように、枠部材６に設置（固定）されている。
【０１１７】
一方のＬＥＤユニット９０は、枠部材６の右方の部分、すなわち、右枠６３（右枠６３の長手方向）に沿って配置され、その背面が右枠６３に設置（固定）され、光軸９１１の方向は、左側を向いている。また、他方のＬＥＤユニット９０は、枠部材６の左方の部分、すなわち、左枠６４（左枠６４の長手方向）に沿って配置され、その背面が左枠６４に設置され、光軸９１１の方向は、右側を向いている。
この窓１によれば、前述した第５実施形態と同様の効果が得られる。
【０１１８】
以上、本発明の照明付き建具を、図示の実施形態に基づいて説明したが、本発明はこれに限定されるものではなく、各部の構成は、同様の機能を有する任意の構成のものに置換することができる。また、本発明に、他の任意の構成物が付加されていてもよい。また、本発明は、前記各実施形態のうちの、任意の２以上の構成（特徴）を組み合わせたものであってもよい。
【０１１９】
また、本発明は、建築物の開口部に枠部材を介して設置された１つまたは複数のガラス板（固定的であるか変位可能であるかは問わず）を備える建具であれば、種々のものに適用することができる。その建具としては、前記窓の他、例えば、ドアや戸等の扉、ショーケース等が挙げられる。
【０１２０】
また、本発明の照明付き建具が設置される建築物は、住宅に限定されるものではなく、例えば、ビル等の他の建築物であってもよい。
【図面の簡単な説明】
【０１２１】
【図１】本発明の照明付き建具を窓に適用した場合の第１実施形態を示す図であり、（Ａ）は、正面図、（Ｂ）は、（Ａ）中のＡ−Ａ線での断面図である。
【図２】本発明における照明装置のＬＥＤユニットの構成例を示す斜視図である。
【図３】本発明における照明装置のＬＥＤ光源の構成例を示す図であり、（Ａ）は、平面図、（Ｂ）は、正面図、（Ｃ）は、断面図である。
【図４】ＬＥＤユニット（ＬＥＤ光源）の他の配置例を示す断面図である。
【図５】本発明の照明付き建具を窓に適用した場合の第２実施形態を示す断面図である。
【図６】本発明の照明付き建具を窓に適用した場合の第３実施形態を示す断面図である。
【図７】本発明の照明付き建具を窓に適用した場合の第４実施形態を示す断面図である。
【図８】本発明の照明付き建具を窓に適用した場合の第５実施形態を示す断面図である。
【図９】本発明の照明付き建具を窓に適用した場合の第６実施形態を示す断面図である。
【符号の説明】
【０１２２】
１                窓
２                ガラス板
３                枠部材
３１              上枠
３１１            溝
３２              下枠
３２１            溝
３３              右枠
３４              左枠
４                カバー部材
５                ガラス板ユニット
６                枠部材
６１              上枠
６１１、６１２    レール
６２              下枠
６２１、６２２    レール
６３              右枠
６４              左枠
７                窓枠
９                照明装置
９０、９０ａ、９０ｂ、９０ｃ  ＬＥＤユニット
９１              ＬＥＤ光源
９１１            光軸
９２              基盤
９３              反射板
９４              ＬＥＤ素子
９４ａ            プラス電極
９４ｂ            マイナス電極
９５              蛍光体
９６              レンズ
９７              プラス電極
９８              マイナス電極
１００            壁
１１０            開口部
【図１】
2007217873.tif 000003
【図２】
2007217873.tif 000004
【図３】
2007217873.tif 000005
【図４】
2007217873.tif 000006
【図５】
2007217873.tif 000007
【図６】
2007217873.tif 000008
【図７】
2007217873.tif 000009
【図８】
2007217873.tif 000010
【図９】
2007217873.tif 000011